(57)【要約】【課題】解析する境界条件が変わって参照箇所が変わっても、粗密メッシュの追加箇所の変更を容易に行うことができ、精度良く新規の解析メッシュデータ作成し得る解析データ作成装置を提供する。【解決手段】この装置では、読込部１０３がＤＢ１０１から境界条件のデータを含む新規形状データを読み込み、検索・表示部１０５がＤＢ１０４、１０６を参照して過去解析メッシュデータから新規形状データと類似するものを検索し、検索・表示部１０７がＤＢ１０６を参照して過去解析メッシュデータから境界条件のデータと類似するものを検索し、比較部１０８がＤＢ１０４を参照して検索された類似する過去解析メッシュデータに対応する解析結果データの参照箇所と粗密／規則メッシュデータとを比較し、抽出部１０９が過去解析メッシュデータから粗密／規則メッシュデータを抽出し、適用部１１０が抽出した粗密／規則メッシュデータを新規形状データへ適用する。【選択図】図１
2011100335.tif 000002
【特許請求の範囲】
【請求項１】
計算機を利用して解析メッシュデータを作成可能な解析データ作成装置において、新たに解析する新規データに対して、過去の解析メッシュデータに含まれる粗密メッシュを適用した解析メッシュデータを作成するための境界条件のデータを含む新規形状データを読み込むデータ読込部と、前記過去の解析メッシュデータから前記新規形状データと類似するものを検索する過去解析メッシュデータ類似形状検索部と、前記過去の解析メッシュデータから前記境界条件のデータと類似するものを検索する過去解析メッシュデータ類似境界条件検索部と、前記検索された類似する過去の解析メッシュデータに対応する解析結果データについての参照箇所と粗密メッシュデータ及び規則メッシュデータの対応関係である粗密／規則メッシュデータとを比較する解析結果・粗密／規則メッシュデータ比較部と、前記過去の解析メッシュデータから前記粗密／規則メッシュデータを抽出する粗密／規則メッシュデータ抽出部と、前記抽出した粗密／規則メッシュデータを前記新規形状データへ適用する粗密／規則メッシュデータ適用部と、を前記計算機に具備させて成ることを特徴とする解析データ作成装置。
【請求項２】
請求項１記載の解析データ作成装置において、解析参照点を前記過去の解析メッシュデータから抽出して前記新規形状データへ配置する解析参照点適用部と、前記過去の解析メッシュデータ及び前記新規形状データに基づいて前記解析メッシュデータとしての新規の解析メッシュデータを生成するメッシュ生成部と、前記新規の解析メッシュデータを表示するデータ表示部と、前記新規の解析メッシュデータを保存するデータ保存部と、を前記計算機に具備させて成ることを特徴とする解析データ作成装置。
【請求項３】
請求項１記載の解析データ作成装置において、前記過去解析メッシュデータ類似境界条件検索部は、前記新規形状データ及び前記境界条件のデータに基づいて前記類似する過去の解析メッシュデータを検索することを特徴とする解析データ作成装置。
【請求項４】
請求項１項記載の解析データ作成装置において、前記粗密／規則メッシュデータ抽出部は、前記粗密／規則メッシュデータとして、前記新規形状データ及び前記境界条件のデータに基づいて検索された前記類似する過去の解析メッシュデータに含まれるノウハウとなるデータを抽出することを特徴とする解析データ作成装置。
【請求項５】
請求項１記載の解析データ作成装置において、前記粗密／規則メッシュデータ適用部は、前記粗密／規則メッシュデータとして、前記新規形状データ及び前記境界条件のデータと類似する前記過去の解析メッシュデータに含まれるデータを当該新規形状データと対応する位置に適用することを特徴とする解析データ作成装置。
【請求項６】
請求項１記載の解析データ作成装置において、前記解析結果・粗密／規則メッシュデータ比較部は、前記過去の解析メッシュデータと、前記解析結果データの参照箇所としての応力集中部についての前記粗密／規則メッシュデータにおける粗密メッシュデータとを比較すると共に、解析に影響を与える箇所のメッシュを細かくし、解析の影響が小さい箇所のメッシュを粗く修正することを特徴とする解析データ作成装置。
【請求項７】
請求項２項記載の解析データ作成装置において、前記メッシュ生成部は、前記新規形状データと類似する前記過去の解析メッシュデータに含まれる前記解析参照点を抽出し、当該解析参照点を前記新規形状データに配置して前記新規の解析メッシュデータを作成することを特徴とする解析データ作成装置。
【請求項８】
請求項２記載の解析データ作成装置において、前記粗密／規則メッシュデータ適用部は、前記粗密／規則メッシュデータとして、前記新規形状データ及び前記境界条件のデータと類似する前記過去の解析メッシュデータの複数のものに含まれるデータを当該新規形状データと対応する位置に適用し、前記データ表示部は、前記粗密／規則メッシュデータを強調して表示することを特徴とする解析データ作成装置。
【発明の詳細な説明】
【技術分野】
【０００１】
本発明は、計算機（コンピュータ）を利用して物理現象や解析目的に応じて解析メッシュデータに含まれる粗密メッシュや規則メッシュのノウハウとなるデータを抽出し、高精度な新規の解析メッシュデータを作成可能な解析データ作成装置に関する。
【背景技術】
【０００２】
近年、メッシュデータを含めた解析データの自動生成技術が進んでいる。例えば３次元ＣＡＤ（Ｃｏｍｐｕｔｅｒ  Ａｉｄｅｄ  Ｄｅｓｉｇｎ）等で作成した形状データに基づいて、ＣＡＥ（Ｃｏｍｐｕｔｅｒ  Ａｉｄｅｄ  Ｅｎｇｉｎｅｅｒｉｎｇ）で解析するためのメッシュデータを自動的に作成する技術は、モデル作成時間・解析時間の短縮に繋がり、解析を実施しながら設計を行う解析主導設計において、キー技術となっている。
【０００３】
一方、物理現象や解析目的に応じた高精度な解析メッシュデータを作成するには、熟練者による手作業が必要である。解析結果を参照したい箇所、例えば構造解析における応力集中部に粗密メッシュや規則メッシュ等のメッシュを作成して参照箇所での節点の数を増やす必要がある。応力集中部で精度良い結果を参照したい場合、密なメッシュを追加することが多い。こういった粗密メッシュや規則メッシュを追加する箇所は、解析を行う際のノウハウとなっており、解析熟練者であれば、解析目的や設定条件から参照すべき箇所に粗密メッシュや規則メッシュを追加することが可能であるが、解析経験の少ない設計者では、粗密メッシュや規則メッシュの追加箇所が判らず、解析目的や設定条件に関係なくメッシュを作成して解析を行っている場合が多い。即ち、境界条件（拘束条件、荷重条件）が変わると、参照すべき箇所も変わるため、粗密メッシュの追加箇所の変更も必要となるが、設計者等の解析の初心者の場合には境界条件に関係なくメッシュを作成している。
【０００４】
そこで、こうした問題を解決するための技術も提案されている。例えば解析熟練者が作成した解析メッシュデータを雛型メッシュデータとしてデータベースに登録しておき、新規形状データに対して雛型メッシュデータを適用して解析熟練者が作成した精度の高いメッシュデータを新規形状のメッシュデータ作成に再利用できるようにし、解析熟練者が設定した粗密メッシュ及び規則メッシュを雛型メッシュデータとして新規形状データへ適用することを可能した「解析モデル作成支援装置」（特許文献１参照）が挙げられる。
【０００５】
また、新規形状データに対して雛型メッシュデータを適用する際、新規形状と雛型メッシュデータの形状とが一致せず、新規形状に突起物が含まれている場合において、突起物を閉ループで形状分割し、新規形状データと雛型メッシュデータの形状とを一致させた後、雛型メッシュデータを新規形状データへ適用する「解析用モデル作成支援システム」（特許文献２参照）が挙げられる。
【０００６】
更に、新規形状データと類似するメッシュデータを検索し、メッシュ情報（任意のメッシュペアの重心距離、法線ベクトルの成す角度）から特徴形状を表わすヒストグラムを作成し、新規形状データと類似するメッシュデータの類似度をヒストグラムの比較から求める「形状簡略化装置及びそれに用いられるプログラム」（特許文献３参照）が挙げられる。
【先行技術文献】
【特許文献】
【０００７】
【特許文献１】特開２００５−１０００３８号公報
【特許文献２】特開２００６−３４４０９６号公報
【特許文献３】特開２００８−４０９２１号公報
【発明の概要】
【発明が解決しようとする課題】
【０００８】
上述した特許文献１や特許文献２の技術によれば、解析熟練者が過去に作成した解析メッシュデータを雛型メッシュデータとして新規形状データの解析メッシュデータを作成する際、新規形状データに類似する雛型メッシュデータを検索して雛型メッシュデータに含まれる粗密メッシュ、規則メッシュのデータを再利用できるが、新規形状データと雛型メッシュデータとの形状が一致していても、拘束条件や荷重条件といった境界条件が変化すると、解析結果を参照する箇所も変化するため、粗密メッシュ、規則メッシュを追加する箇所の変更が必要となり、修正のノウハウが必要となってしまうという問題がある。
【０００９】
また、最近では新規形状データに対して、特許文献３の技術のような形状の類似度だけでなく、境界条件の類似度も含めた過去の解析メッシュデータ検索を行い、解析しようとする条件に合った粗密メッシュ、規則メッシュを新規形状データに適用することが求められている。即ち、解析する境界条件に応じて、参照すべき箇所に密なメッシュを追加し、解析の影響が低い箇所ではメッシュを粗くするようなメッシュモデルを作成できることが望まれており、解析初心者が従来行うことができなかった境界条件に応じた粗密メッシュの適用に繋がり、精度の高い解析を行うことが可能になる。
【００１０】
本発明は、このような問題点を解決すべくなされたもので、その技術的課題は、解析する境界条件が変わって参照すべき箇所が変わっても、粗密メッシュの追加箇所の変更を容易に行うことができ、解析初心者でも精度良く新規の解析メッシュデータを作成し得る解析データ作成装置を提供することにある。
【課題を解決するための手段】
【００１１】
本発明は、上記技術的課題を解決するため、計算機を利用して解析メッシュデータを作成可能な解析データ作成装置において、新たに解析する新規データに対して、過去の解析メッシュデータに含まれる粗密メッシュを適用した解析メッシュデータを作成するための境界条件のデータを含む新規形状データを読み込むデータ読込部と、過去の解析メッシュデータから新規形状データと類似するものを検索する過去解析メッシュデータ類似形状検索部と、過去の解析メッシュデータから境界条件のデータと類似するものを検索する過去解析メッシュデータ類似境界条件検索部と、検索された類似する過去の解析メッシュデータに対応する解析結果データについての参照箇所と粗密メッシュデータ及び規則メッシュデータの対応関係である粗密／規則メッシュデータとを比較する解析結果・粗密／規則メッシュデータ比較部と、過去の解析メッシュデータから粗密／規則メッシュデータを抽出する粗密／規則メッシュデータ抽出部と、抽出した粗密／規則メッシュデータを新規形状データへ適用する粗密／規則メッシュデータ適用部と、を計算機に具備させて成ることを特徴とする。
【００１２】
上記解析データ作成装置において、解析参照点を過去の解析メッシュデータから抽出して新規形状データへ配置する解析参照点適用部と、過去の解析メッシュデータ及び新規形状データに基づいて解析メッシュデータとしての新規の解析メッシュデータを生成するメッシュ生成部と、新規の解析メッシュデータを表示するデータ表示部と、新規の解析メッシュデータを保存するデータ保存部と、を計算機に具備させて成ることは好ましい。
【００１３】
また、上記解析データ作成装置において、過去解析メッシュデータ類似境界条件検索部は、新規形状データ及び境界条件のデータに基づいて類似する過去の解析メッシュデータを検索すること、粗密／規則メッシュデータ抽出部は、粗密／規則メッシュデータとして、新規形状データ及び境界条件のデータに基づいて検索された類似する過去の解析メッシュデータに含まれるノウハウとなるデータを抽出すること、粗密／規則メッシュデータ適用部は、粗密／規則メッシュデータとして、新規形状データ及び境界条件のデータと類似する過去の解析メッシュデータに含まれるデータを当該新規形状データと対応する位置に適用すること、解析結果・粗密／規則メッシュデータ比較部は、過去の解析メッシュデータと、解析結果データの参照箇所としての応力集中部についての粗密／規則メッシュデータにおける粗密メッシュデータとを比較すると共に、解析に影響を与える箇所のメッシュを細かくし、解析の影響が小さい箇所のメッシュを粗く修正すること、はそれぞれ好ましい。
【００１４】
更に、上記解析データ作成装置において、メッシュ生成部は、新規形状データと類似する過去の解析メッシュデータに含まれる解析参照点を抽出し、当該解析参照点を新規形状データに配置して新規の解析メッシュデータを作成すること、粗密／規則メッシュデータ適用部は、粗密／規則メッシュデータとして、新規形状データ及び境界条件のデータと類似する過去の解析メッシュデータの複数のものに含まれるデータを当該新規形状データと対応する位置に適用し、データ表示部は、粗密／規則メッシュデータを強調して表示すること、はそれぞれ好ましい。
【発明の効果】
【００１５】
本発明の解析データ作成装置によれば、物理現象や解析目的の境界条件のデータに応じて過去の解析メッシュデータに含まれる粗密メッシュや規則メッシュのノウハウとなるデータを抽出して用いているため、高精度な新規の解析メッシュデータを作成することが可能になる。これにより、解析する境界条件が変わって参照すべき箇所が変わっても、粗密メッシュや規則メッシュの追加箇所の変更を容易に行うことができ、結果として、熟練者でなくても（解析初心者でも）精度良く新規の解析メッシュデータを作成することが可能になる。
【図面の簡単な説明】
【００１６】
【図１】本発明の実施例１に係る解析データ作成装置の要部の基本構成を示したブロック図である。
【図２】図１に示す解析データ作成装置の動作処理を示したフローチャートである。
【図３】図２で説明した動作処理の要部となるデータ処理の手順を示したフローチャートである。
【図４】図１に示す解析データ作成装置に備えられる過去解析メッシュデータ類似形状検索・表示部による新規形状データと類似する解析メッシュデータを検索するプロセスを説明するために示した図であり、（ａ）は類似形状検索の初期プロセスに関するもの、（ｂ）は類似形状検索の中期プロセスに関するもの、（ｃ）は類似形状検索の後期プロセスに関するもの、（ｄ）は境界条件検索のプロセスの一部に関するもの、（ｅ）は境界条件検索のプロセスの他部に関するものである。
【図５】図１に示す解析データ作成装置に備えられる解析結果・粗密／規則メッシュデータ比較部に係る解析結果と粗密／規則メッシュとの対応付けを説明するために示した模式図である。
【図６】図１に示す解析データ作成装置に備えられる粗密／規則メッシュデータ抽出部に係る新規形状データとメッシュデータとの形状比較のプロセスを説明するために示した模式図である。
【図７】図１に示す解析データ作成装置に備えられる粗密／規則メッシュデータ適用部に係る検索した粗密メッシュを新規形状データに追加するプロセスを説明するために示した模式図である。
【図８】図１に示す解析データ作成装置に備えられる解析参照点適用部に係る解析参照点を検索して新規形状データへ設定するプロセスを説明するために示した模式図である。
【図９】図１に示す解析データ作成装置に付設される入出力装置に含まれる表示装置の表示画面上に表示した操作画面である動作処理モード画面を例示したものである。
【図１０】図９に示す動作処理モード画面上で過去解析メッシュ検索を指定した場合の推移操作画面を例示したものである。
【図１１】図９に示す動作処理モード画面上で解析結果・粗密／規則メッシュデータ比較を指定した場合の推移操作画面を例示したものである。
【図１２】図９に示す動作処理モード画面上で粗密／規則メッシュ適用を指定した場合の推移操作画面を例示したものである。
【図１３】図９に示す動作処理モード画面上で解析参照点適用を指定した場合の推移操作画面を例示したものである。
【図１４】図９に示す動作処理モード画面上でメッシュ生成を指定した場合の推移操作画面を例示したものである。
【図１５】図９に示す動作処理モード画面上でデータ保存を指定した場合の推移操作画面を例示したものである。
【発明を実施するための形態】
【００１７】
以下に、本発明の解析データ作成装置について、図面を参照して詳細に説明する。
【実施例１】
【００１８】
図１は、本発明の実施例１に係る解析データ作成装置の要部の基本構成を示したブロック図である。
【００１９】
この解析データ作成装置は、解析メッシュデータを作成可能なもので、キーボード、マウス等の操作部を含むと共に、表示画面（ディスプレイ）を有する表示装置を含む図示しない入出力装置と、複数の記憶手段を含むと共に、演算機能部を有する計算機（パーソナルコンピュータ）と、から構成される。
【００２０】
このうち、計算機は、複数の記憶手段として、新規データ（形状、境界条件のデータ）を格納した新規データ用ＤＢ（データベース）１０１、過去解析結果データを格納した過去解析結果データ用ＤＢ（データベース）１０４、過去メッシュデータ（境界条件のデータ）を格納した過去メッシュデータ用ＤＢ（データベース）１０６、及び演算機能部で演算された新規の解析メッシュデータを格納する新規メッシュデータ用ＤＢ（データベース）１１４を備えている。
【００２１】
また、計算機の演算機能部は、新たに解析する新規データに対して、過去の解析メッシュデータに含まれる粗密メッシュを適用した解析メッシュデータを作成するための境界条件のデータを含む新規形状データを新規データ用ＤＢ１０１から読み込むデータ読込部１０３と、過去解析結果データ用ＤＢ１０４及び過去メッシュデータ用ＤＢ１０６を参照して過去の解析メッシュデータから新規形状データと類似するものを検索して表示装置の表示画面上に表示する過去解析メッシュデータ類似形状検索・表示部１０５と、過去メッシュデータ用ＤＢ１０６を参照して過去の解析メッシュデータから境界条件のデータと類似するものを検索して表示装置の表示画面上に表示する過去解析メッシュデータ類似境界条件検索・表示部１０７と、過去解析結果データ用ＤＢ１０４を参照して検索された類似する過去の解析メッシュデータに対応する解析結果データについての参照箇所と粗密メッシュデータ及び規則メッシュデータの対応関係である粗密／規則メッシュデータとを比較する解析結果・粗密／規則メッシュデータ比較部１０８と、過去の解析メッシュデータから粗密／規則メッシュデータを抽出する粗密／規則メッシュデータ抽出部１０９と、抽出した粗密／規則メッシュデータを新規形状データへ適用する粗密／規則メッシュデータ適用部１１０と、を備えている。
【００２２】
更に、計算機の演算機能部は、解析参照点を過去の解析メッシュデータから抽出して新規形状データへ配置する解析参照点適用部１１５と、過去の解析メッシュデータ及び新規形状データに基づいて解析メッシュデータとしての新規の解析メッシュデータを生成するメッシュ生成部１１１と、新規の解析メッシュデータを表示装置の表示画面上に表示するデータ表示部１１２と、新規の解析メッシュデータを保存するデータ保存部１１３と、を備えている。
【００２３】
即ち、この解析データ作成装置（計算機）の演算機能部では、境界条件を含む新規形状データをデータ読込部で新規データ用ＤＢ１０１から読み込み、過去解析メッシュデータ類似形状検索・表示部１０５により過去解析結果データ用ＤＢ１０４及び過去メッシュデータ用ＤＢ１０６を参照して入力されたデータに対して、新規形状データと類似する過去メッシュデータを検索する。
【００２４】
また、過去解析メッシュデータ類似境界条件検索・表示部１０７では、過去解析メッシュデータ類似形状検索・表示部１０５から入力されたデータに対して、過去メッシュデータ用ＤＢ１０６を参照して境界条件のデータと近い過去メッシュデータを検索する。検索の結果、新規形状データと類似するメッシュデータを表示装置の表示画面上に表示する。
【００２５】
解析結果・粗密／規則メッシュデータ比較部１０８では、過去解析結果データ用ＤＢ１０４を参照して検索された類似する過去の解析メッシュデータに対応する解析結果データの参照箇所（応力集中部）についての過去解析メッシュデータと粗密／規則メッシュデータ（粗密メッシュデータ）とを比較し、粗密／規則メッシュデータ抽出部１０９では、新規形状データと複数の過去解析メッシュデータとの形状比較により形状の対応付けをした粗密／規則メッシュデータを抽出する。
【００２６】
即ち、粗密／規則メッシュデータ抽出部１０９では、最初に新規形状データの点、線、面のデータを抽出し、メッシュデータの節点、要素辺、法線ベクトル情報からメッシュデータにおける形状を構成する点(形状点)、線(点を結ぶ線)、面(線で囲まれる面)を生成し、新規形状データの点、線、面情報との比較を行う。
【００２７】
具体的に云えば、原点に近い基準点から所定の隣接方向に隣接する点を辿り、メッシュデータにおける対応点を比較することで点についての比較を行う。線についても、基準点を始点として隣接する点を終点とする線から順番に所定の隣接方向に隣接する線を辿り、メッシュデータにおける対応線を比較することで線についての比較を行う。面についても同様に、基準点を含む線から構成される面を辿って行き、新規形状データ、メッシュデータで比較を行う。
【００２８】
形状比較を行った後、メッシュデータに含まれる粗密／規則メッシュデータを要素サイズから検索し、粗密メッシュが含まれる面番号を抽出する。
【００２９】
粗密／規則メッシュデータ適用部１１０では、メッシュデータの面番号に対応する新規形状データの面番号を位相対応表から求めて新規形状データに粗密メッシュの節点を配置する。
【００３０】
粗密メッシュの節点を配置する際、解析参照点適用部１１５により解析で参照すべき節点（解析参照点）を新規形状データに配置する。一般には過去メッシュデータで参照したい評価点を節点として与えることが多いが、新規形状データと同じ位置に過去解析メッシュデータの節点を配置し、メッシュ生成部１１１によりメッシュデータを生成する。
【００３１】
メッシュ生成部１１１では、粗密メッシュの節点、解析参照点の節点を含めた新規の解析メッシュデータを生成する。データ表示部１１２では、新規の解析メッシュデータの結果を表示装置の表示画面上に表示する。データ保存部１１３では、新規の解析メッシュデータを保存し、これによって作成された新規の解析メッシュデータを新規メッシュデータ用ＤＢ１１４に格納する。
【００３２】
図２は、この解析データ作成装置の動作処理を示したフローチャートである。図２の動作処理は、新規形状データに対して、類似する解析メッシュデータを検索し、粗密メッシュデータを適用する処理プロセスとデータの流れとを示したものである。
【００３３】
この動作処理では、まずデータ読込部１０３により新規データ用ＤＢ１０１から形状・境界条件を含む新規データを読み込むことで形状・境界条件データ読込（ステップＳ２０１）の処理が行われる。
【００３４】
次に、過去解析メッシュデータ類似形状検索・表示部１０５により読み込んだ新規形状データについて、過去メッシュデータ用ＤＢ１０６を参照して形状が類似する過去解析メッシュデータを検索し、その検索結果を表示装置の表示画面上に表示することにより、過去解析メッシュデータ類似形状検索・表示（ステップＳ２０２）の処理が行われる。
【００３５】
更に、過去解析メッシュデータ類似境界条件検索・表示部１０７により過去メッシュデータ用ＤＢ１０６を参照して、過去メッシュデータのうち、類似する境界条件を持つメッシュデータを検索し、その検索結果を表示装置の表示画面上に表示することにより、過去解析メッシュデータ類似境界条件検索・表示（ステップＳ２０３）の処理が行われる。
【００３６】
引き続き、ここでの検索の結果、検出されたメッシュデータについて、粗密／規則メッシュデータが含まれているかどうかを検索することにより、粗密／規則メッシュ箇所が有りか否かの判定（ステップＳ２０４）を行う。粗密／規則メッシュデータの含有の有無検索については、メッシュ要素サイズ、要素同士の成す角度から粗密／規則メッシュの存在の成否を判定することができる。
【００３７】
粗密／規則メッシュ箇所が有りか否かの判定（ステップＳ２０４）の結果、粗密／規則メッシュが存在すれば、過去解析結果データ用ＤＢ１０４を参照して、過去解析結果と過去メッシュデータ（応力集中部）との粗密／規則メッシュ箇所比較（ステップＳ２０５）を行い、それぞれ評価する。構造解析を例にすれば、解析結果で応力集中部（箇所）のメッシュが粗密になっているかどうかを評価することになる。応力が集中する箇所として、例えば、最大主応力又はミゼス応力が閾値以上にある節点(又は要素)を対象として検索し、隣接要素の要素サイズ、隣接要素同士の成す角度をチェックすることより、粗密メッシュとなっているかどうかを評価することができる。
【００３８】
粗密／規則メッシュが含まれている場合には、粗密／規則メッシュデータ抽出部１０９によりメッシュデータの何処に粗密／規則メッシュが含まれているかを検索して節点を抽出する粗密／規則メッシュデータ抽出（ステップＳ２０６）の処理を行った後、粗密／規則メッシュデータ適用部１１０により新規形状データとの形状比較・対応付けを行い、メッシュデータと同じ箇所に粗密／規則メッシュを適用して粗密／規則メッシュデータ適用（ステップＳ２０７）の処理を行う。
【００３９】
この後は、先の粗密／規則メッシュ箇所が有りか否かの判定（ステップＳ２０４）の結果、粗密／規則メッシュ箇所が存在しない場合と同様に、解析参照点適用部１１５により過去解析メッシュデータに解析参照点が含まれているかどうかを検索して解析参照点有りか否かの判定（ステップＳ２０８）を行う。
【００４０】
この結果、解析参照点がメッシュデータに含まれている場合には、メッシュデータと同じ箇所に粗密／規則メッシュ、解析参照点を配置して解析参照点（節点）データ適用（ステップＳ２０９）の処理を行う。
【００４１】
この後は、解析参照点がメッシュデータに含まれていない場合と同様に、新規の解析メッシュデータを生成するメッシュ生成（ステップＳ２１０）の処理を行い、続いて生成した新規の解析メッシュデータを表示するメッシュデータ表示（ステップＳ２１１）を経て新規の解析メッシュデータを保存するメッシュデータ保存（ステップＳ２１２）の処理を行う。このとき、最終的に作成された新規の解析メッシュデータを新規メッシュデータ用ＤＢ１１４へ格納する。
【００４２】
図３は、上述した動作処理の要部となるデータ処理の手順を示したフローチャートである。ここでは、上述した粗密／規則メッシュデータ適用部１１０による粗密／規則メッシュデータ適用（ステップＳ２０７）の処理について、新規形状データに粗密／規則メッシュを適用する場合のデータ処理の手順を示している。
【００４３】
このデータ処理では、形状データ、境界条件データ読込（ステップＳ３０１）の処理に続いて、新規形状データと形状が類似する過去解析メッシュデータを検索する過去解析メッシュデータ類似形状検索（ステップＳ３０２）の処理を行う。
【００４４】
ここでの新規形状データと解析メッシュデータとの検索には、新規形状データに三角形メッシュを作成する三角形メッシュ生成（ステップＳ３０３）の処理を行い、全要素（ステップＳ３０４）を対象とする処理とした上、任意の２個の三角形メッシュの法線ベクトルの成す角度、メッシュ間重心距離を求めるメッシュ間角度、距離計算（ステップＳ３０５）の処理を行う。また、メッシュ間角度、距離計算のデータを正規化してヒストグラム（特徴量）作成（ステップＳ３０６）を行う処理を経て、新規形状データのヒストグラムと近い過去解析メッシュデータのヒストグラムを検索するヒストグラム検索（ステップＳ３０７）の処理を実行する。検索の結果、類似する解析メッシュデータを表示する類似解析メッシュデータ表示（ステップＳ３０８）の処理を行う。なお、ここでの特徴量は、形状の位置や回転によらない値となるため、形状が類似するデータを検索することが可能である。
【００４５】
引き続き、新規形状データに対して、これから解析する拘束条件や荷重条件等の境界条件で類似するメッシュデータを検索する過去解析メッシュデータ類似境界条件検索（ステップＳ３０９）の処理を行う。拘束条件、荷重条件の種類から類似するメッシュデータを検索すると、その検索結果を表示する類似解析メッシュデータ表示（ステップＳ３１０）の処理を行う。なお、拘束条件、荷重条件が形状のどの箇所に設定されているかを新規形状データとメッシュデータとの形状比較から求めることにより、新規形状データに設定されている境界条件の場所とメッシュデータに含まれている境界条件の場所との比較を行うことも可能である。
【００４６】
次に、メッシュデータに含まれる粗密／規則メッシュデータを抽出する粗密／規則メッシュデータ抽出（ステップＳ３１１）の処理を行う。ここでは粗密／規則メッシュデータが含まれているかどうかを、要素サイズや隣接するメッシュ同士の成す角度から検索する粗密／規則メッシュデータ検索（ステップＳ３１２）の処理で判定し、粗密／規則メッシュデータが含まれる場合の粗密／規則メッシュあり（ステップＳ３１３）の処理では、最初に過去解析結果とメッシュデータとで応力集中部と粗密／規則メッシュ箇所とを比較することで過去解析結果／メッシュデータの粗密／規則メッシュ箇所比較（ステップＳ３１４）する処理を行う。
【００４７】
構造解析の場合、解析結果から応力集中部を検索する応力集中部（解析結果）検索（ステップＳ３１５）の処理を行い、最大主応力、ミゼス応力が閾値以上となっている節点がある場合の応力集中部あり（ステップＳ３１６）の処理では、応力集中部での要素サイズを検索して粗密メッシュとなっているかどうかを比較する粗密／規則メッシュ箇所（メッシュデータ）検索（ステップＳ３１７）の処理を行う。これにより、粗密／規則メッシュあり（ステップＳ３１８）の処理として粗密メッシュが含まれている場合、粗密／規則メッシュ箇所比較（ステップＳ３１９）の処理により応力集中部での粗密メッシュ箇所を検索し、新規形状データに適用する。
【００４８】
更に、新規形状データとメッシュデータとの形状比較により新規形状／メッシュデータの粗密／規則メッシュ箇所比較（ステップＳ３２０）の処理を行う。ここでは、新規形状データの点・線・面データと、メッシュデータのメッシュ情報とに基づいて形状の点・線・面に相当するデータを作成し、点・線・面の対応付けから形状比較を実施する。
【００４９】
メッシュデータからの点・線・面作成では、メッシュデータの節点、要素辺、法線ベクトル情報に基づいて、例えば四面体メッシュの場合、隣接する要素との共有面が１個以下で、どの要素とも繋がっていない節点を点とし、またどの要素とも繋がっていない要素辺を線とすることにより、メッシュデータから点、線情報を抽出することが可能となる。また、表面三角形メッシュと隣接する三角形メッシュとの法線ベクトルの成す角度が閾値以内であれば、同じ要素面として扱い、グループ分けを行うことにより面情報を抽出することが可能となる。このようにして、メッシュデータにおける形状を構成する点(形状点)、線（点を結ぶ線）、面（線で囲まれる面）を生成するメッシュデータの点／線／面作成（ステップＳ３２１）の処理を行う。
【００５０】
次に、基準点と繋がっている点、線、面を検索することで、新規形状データの点・線・面に対応するメッシュデータの点・線・面情報を位相対応表として作成する位相対応表作成（ステップＳ３２２）の処理を行い、新規形状データにおける、点・線・面に対応するメッシュデータの点・線・面情報の対応付けを行う点検索（ステップＳ３２３）、線検索（ステップＳ３２４）、面検索（ステップＳ３２５）の処理を順次行う。ここでは、原点に近い基準点から所定の隣接方向に隣接する点を辿り、メッシュデータにおける対応点を比較することにより点の比較を行う。線についても、基準点を始点として隣接する点を終点とする線から順に所定の隣接方向に隣接する線を辿り、メッシュデータにおける対応線を比較することにより線の比較を行う。面についても同様に、基準点を含む線から構成される面を辿り新規形状データ、メッシュデータによる比較を行う。
【００５１】
更に、位相対応表作成（ステップＳ３２２）の処理で得られた情報に基づいて新規形状データに粗密／規則メッシュデータを適用する粗密／規則メッシュ適用（ステップＳ３２６）の処理を行う。ここでの粗密／規則メッシュデータは、節点のみを新規形状データに与えることも可能である。
【００５２】
次に、解析参照点の抽出（ステップＳ３２７）の処理を行い、解析メッシュデータに解析参照点が含まれているかどうかを検索する解析参照点検索（ステップＳ３２８）の処理を行う。解析参照点がメッシュデータに含まれている場合の解析参照点あり（ステップＳ３２９）の処理では、粗密／規則メッシュデータ、解析参照点を節点として新規形状データに配置する解析参照点適用（ステップＳ３３０）の処理を行う。即ち、解析参照点の抽出（ステップＳ３２７）の処理では、解析を行った結果を評価するため、例えばフィレット部のある箇所でのミゼス応力を参照したい場合には、その位置に必ず節点を生成し、応力を参照できるように設定していることがある。この解析参照点がメッシュデータに含まれている場合、解析参照点を新規形状データに配置する。配置する場所は、位相対応表の新規形状／メッシュデータの形状点の座標値の関係から、メッシュデータにおける解析参照点の座標から新規形状データに配置すべき座標を比例配分で求める。
【００５３】
この後、各節点を通る新規の解析メッシュデータを生成するメッシュ生成（ステップＳ３３１）の処理を行ってからメッシュ生成した結果（新規の解析メッシュデータ）を表示するメッシュ生成結果表示（ステップＳ３３２）の処理を行うと共に、メッシュ生成した結果（新規の解析メッシュデータ）を保存する。
【００５４】
実施例１の解析データ作成装置では、新たに解析する新規形状データに対して、形状、境界条件のデータにより類似する過去の解析メッシュデータを検索し、検索結果から粗密メッシュデータや規則メッシュデータを抽出して新規形状の解析メッシュデータを作成することができる。また、解析結果・粗密／規則メッシュデータ比較部１０８において、過去解析結果データのうち、応力が高い箇所と粗密メッシュデータとの対比により、応力が高くなると思われる箇所に粗密メッシュデータを追加したり、或いは応力が低く解析への影響が小さい箇所で細かいメッシュが存在する場合は、メッシュを粗くするように修正し、何れの場合にも新規形状へ適用した粗密メッシュデータを表示装置の表示画面上にハイライト表示することが好ましい。これにより、熟練者でなくても高精度な新規の解析メッシュデータを作成することができる。
【００５５】
図４は、過去解析メッシュデータ類似形状検索・表示部１０５による新規形状データと類似する解析メッシュデータを検索するプロセスを説明するために示した図であり、同図（ａ）は類似形状検索の初期プロセスに関するもの、同図（ｂ）は類似形状検索の中期プロセスに関するもの、同図（ｃ）は類似形状検索の後期プロセスに関するもの、同図（ｄ）は境界条件検索のプロセスの一部に関するもの、同図（ｅ）は境界条件検索のプロセスの他部に関するものである。
【００５６】
過去解析メッシュデータ類似形状検索・表示部１０５により新規形状データと類似する解析メッシュデータを検索する場合、初期プロセスでは、図４（ａ）に示されるように、新規形状データ４０１に対して三角形メッシュ４０２を作成する。
【００５７】
次に、中期プロセスでは、図４（ｂ）に示されるように、作成した三角形メッシュ４０２についての任意のメッシュペア４０４、４０５について、メッシュ間の重心距離４０６、それぞれのメッシュ法線ベクトルの成す角度４０３を計算する。この計算は全ての要素を対象にして行う。
【００５８】
更に、後期プロセスでは、図４（ｃ）に示されるように、重心距離４０６について、重心距離の最大Ｌｍａｘが１、最小Ｌｍｉｎが０となるように正規化する。また、法線ベクトルの成す角度４０３についても同様に、０〜１８０度を０〜１で正規化する。
【００５９】
０〜１で正規化した後、有限の区間数Nで離散化し、各区間をＬｉ（ｉ＝１〜Ｎ)のメッシュ間距離４０８、θｉ（ｉ＝１〜Ｍ）のメッシュ間角度４０７として表わす。これにより、ヒストグラムの値をＺ（Ｌｉ、θｉ）として、ヒストグラムの総和を求めた後、メッシュの累積面積を割って、ヒストグラムの総和が１となるように正規化した図形４０９を作成して表示する。ここでの処理には、以下の数１式、数２式で表わされる周知の関係式を用いる。
【数１】
2011100335.tif 000003
【数２】
2011100335.tif 000004
このヒストグラムを比較することにより、新規形状データとメッシュデータの類似形状を比較する。ヒストグラムの比較は、新規形状データのヒストグラムＺ１と類似メッシュデータのヒストグラムＺ２との距離を求めることで形状の類似度を下記の数３式の関係で算出する。
【数３】
2011100335.tif 000005
また、新規データの境界条件に類似する解析メッシュデータの検索について、新規データに設定されている境界条件と類似する解析メッシュデータの境界条件のデータを検索する。
【００６０】
例えば、構造解析の場合、境界条件検索のプロセスの一部の図４（ｅ）に示されるように、新規データ４１０に設定されている拘束条件４１３と荷重条件（荷重方向４１１、荷重値４１２）について、境界条件検索のプロセスの他部の図４（ｄ）に示されるように、解析メッシュデータ４１４の拘束条件４１７、荷重条件（荷重方向４１５、荷重値４１６）を検索する。
【００６１】
検索の方法であるが、図４（ｅ）に示される新規形状データ（データＡ）の境界条件表４１８を用意し、拘束条件４１９、荷重条件４２０のそれぞれの詳細なパラメータを格納する。例えば、拘束条件４１９であれば、拘束設定箇所４２１と拘束方向４２２との具体的データを格納する。荷重条件４２０については、荷重設定箇所４２３、荷重方向４２４、荷重値４２５についての具体的データを格納する。そこで、これらのパラメータを成分としたベクトルを表現する。新規形状データの拘束条件４１９をベクトルＣＡとし、拘束条件ベクトルをＦＡとして、境界条件ベクトルＢＣＡを用意する。
【００６２】
また、図４（ｄ）に示される解析メッシュデータ（データＢ）の拘束条件（ベクトルＣＢ）４２６の拘束設定箇所４２８、拘束方向４２９、荷重条件（ベクトルＦＢ）４２７の荷重設定箇所４３０、荷重方向４３１、荷重値４３２についての具体的データを成分とした境界条件ベクトルＢＣＢを求めて、ベクトルＢＣＡ及びベクトルＢＣＢ間の距離Ｄを計算し、距離Ｄが近いものを類似する境界条件として判定する。
【００６３】
このとき、定性的に示されている成分の数値化が必要であり、例えば拘束方向４２２、４２９は、ｘ軸方向＝１、ｙ軸方向＝２、ｚ軸方向＝３、ｘ軸回転方向＝４、ｙ軸回転方向＝５、ｚ軸回転方向＝６、ｘｙ軸両方向＝７、…という具合に数値で表現して成分間の距離を計算できるようにする。
【００６４】
更に、拘束設定箇所４２１、４２８と荷重条件設定箇所４２３、４３０とについては、場所の情報となるため、例えば後述する図６中に示される位相対応表６０５、６１２、６１５を用いて新規形状データで設定されている拘束条件４２１又は荷重条件箇所４２３が、解析メッシュデータで設定されている拘束条件４２８又は荷重条件箇所４３０と同じ位置にあるかどうかを０か１で判定することにより、境界条件の類似度(距離Ｄ)を計算することが可能である。以上の関係は下記の数４式〜数７式で示される。
【数４】
2011100335.tif 000006
【数５】
2011100335.tif 000007
【数６】
2011100335.tif 000008
【数７】
2011100335.tif 000009
類似度を距離Ｄで判定する手法の他にも、主成分分析等のデータ分類手法を用いて、境界条件の傾向が近い解析メッシュデータを求める手法も適用できると考えられる。
【００６５】
図５は、解析結果・粗密／規則メッシュデータ比較部１０８に係る解析結果と粗密／規則メッシュとの対応付けを説明するために示した模式図である。
【００６６】
ここでは、過去解析結果データの応力集中部に対応する粗密／規則メッシュデータの比較を示している。構造解析において、解析の結果、解析結果モデル５０２における応力集中部５０１を検索し、応力集中部５０１における要素サイズを検索する。メッシュデータ５０５において、応力集中部５０１に対応するメッシュ５０４が細かく設定されている場合には、係る粗密メッシュデータを新規形状データに適用するように設定する。
【００６７】
解析結果の利用方法として、応力集中部５０１でのメッシュ５０４が細かい場合、精度の高い結果を参照することができるが、応力集中部５０１以外の解析結果への影響の少ない箇所で細かなメッシュが存在する場合、メッシュ数が多いと計算時間を要するため、粗いメッシュに修正する方が良い。このため、解析メッシュデータの粗密メッシュデータを新規形状データへ適用する前に、解析メッシュデータの粗密メッシュと解析結果の影響の高い箇所との比較を行い、解析結果に影響が少ない箇所の細かなメッシュは粗いメッシュに修正して、新規形状データには適用しないように設定することも可能であり、データ処理上では迅速化を図る上で有効な手法である。
【００６８】
図５を参照すれば、解析結果データ５０６において、応力集中等の強度の影響が少ない箇所５１０について、解析メッシュデータ５０７で設定されている細かいメッシュ５０８を粗くしたメッシュ５０９に修正してメッシュデータとする。これにより、解析時間の短縮に繋がる。因みに、メッシュ要素辺を縮退させれば、細かいメッシュを粗くすることが可能である。
【００６９】
図６は、粗密／規則メッシュデータ抽出部１０９に係る新規形状データとメッシュデータとの形状比較のプロセスを説明するために示した模式図である。
【００７０】
粗密／規則メッシュデータ抽出部１０９により新規形状データとメッシュデータとの形状比較を行う場合、新規形状データ６０１に対して、形状を構成する点、線、面の情報を抽出し、具体的にはする。点番号、線番号、面番号をそれぞれ抽出して抽出形状データ６０２とする。
【００７１】
続いて、形状が類似するメッシュデータ６０３のメッシュ情報を用いて、形状点に相当する箇所、形状線に相当する要素辺、形状面に相当する要素面を抽出する。
【００７２】
メッシュデータ６０３からの点・線・面の抽出では、メッシュデータ６０３の節点、要素辺、法線ベクトル情報に基づいて、例えば四面体メッシュの場合、隣接する要素との共有面が１個以下で、どの要素とも繋がっていない節点を点とし、またどの要素とも繋がっていない要素辺を線とすることで、メッシュデータ６０３から点、線の情報を抽出することが可能である。また、表面三角形メッシュと隣接する三角形メッシュとの法線ベクトルの成す角度が閾値以内であれば、同じ要素面としてグループ分けを行うことにより、面情報を抽出することが可能である。
【００７３】
このようにして抽出したメッシュデータの点、要素辺グループ、要素面グループに対応する点番号、辺グループ番号、面グループ番号を設定した抽出設定形状メッシュデータ６０４を得て、新規形状データ６０１の点、線、面の情報との比較を行う。
【００７４】
原点に近い基準点を例えば新規形状データ６０１における点１（６１９）、メッシュデータにおける点１（６２０）として、点１と繋がっている隣接点を辿り対応点を検索する。対応する点がない場合は、対応させずに残しておく。線の比較についても、これらの基準点を始点とし、隣接する点を終点とする線から順に、所定の隣接方向に隣接する線を追うようにしてメッシュデータにおける対応線を比較する。面についても同様に、基準点を含む線をさらに含む面を辿ることにより比較する。
【００７５】
この方法を用いれば、形状の位相が全く同じで、線の長さ、面積等の寸法が異なっていても、形状の対応付けが可能である。但し、抽出形状データ６０２、抽出設定形状メッシュデータ６０４の場合のように位相が異なっている場合には、直接の形状の対応付けは難しい。
【００７６】
この場合、新規形状データの面法線ベクトルと、メッシュデータの要素面グループの法線ベクトルの成す角度が閾値以内であれば、同じ面として扱う等の補正を行うことが可能である。例えば、抽出形状データ６０２の面９（６２１）と、抽出設定形状メッシュデータ６０４の面６（６２３）、面７（６２２）の面法線ベクトルを求め、それぞれの成す角度から同じ面として対応可能かどうかを判断する。
【００７７】
このように形状の対応付けを行った結果、点、線、面の位相対応表６０５、６１２、６１５を作成する。点については、新規形状データ６０６と類似する類似メッシュデータ６１０で対応する点番号６０７、６１１と座標６０８とを対応付けたテーブルとする。線や面についても同様に、線番号６１３と始点・終点の点番号６１４との対応関係、面番号６１６と面を構成する線番号群６１７、６１８との対応関係を格納する。
【００７８】
但し、新規形状データ又は過去解析メッシュデータの何れかのみにリブ等の突起物や穴形状が含まれている場合、位相対応表６０５、６１２、６１５では形状の対応付けを行うことができない。この場合、突起物を構成する閉ループ６２２や穴形状を構成する穴ループを検索し、突起物の削除／追加、又は穴形状の削除／追加の作業６２０を行い、新規形状データと過去解析メッシュデータとの形状が一致するように修正作業６２１を行う。形状を一致させた後、粗密／規則メッシュデータを検索して新規形状データに追加した後、突起物、穴形状の削除／追加を行い、メッシュデータを生成する。
【００７９】
図７は、粗密／規則メッシュデータ適用部１１０に係る検索した粗密メッシュを新規形状データに追加するプロセスを説明するために示した模式図である。
【００８０】
粗密／規則メッシュデータ適用部１１０により検索した粗密メッシュを新規形状データに追加する場合、メッシュデータ７０１に含まれる粗密メッシュ７０２のデータを新規形状データ７０３に適用する。このとき、上述した位相対応表を用いて、メッシュデータ７０１での粗密メッシュ７０２の場所に対応する新規形状箇所へ粗密メッシュ７０４を適用する。粗密メッシュ７０４の適用では、要素毎適用するか、或いは節点のみを適用して、メッシュ生成時に節点を繋ぐメッシュを生成するように設定することが可能である。
【００８１】
図８は、解析参照点適用部１１５に係る解析参照点を検索して新規形状データへ設定するプロセスを説明するために示した模式図である。
【００８２】
解析参照点適用部１１５により解析参照点を検索して新規形状データへ設定する場合、メッシュデータ８０１に解析参照点８０２が含まれているため、上述した位相対応表から対応する新規形状データの面番号と面を構成する点の座標値とに基づいて、新規形状データに配置する解析参照点の位置を求める。
【００８３】
具体的に云えば、解析参照点Ａ８０２が面グループ番号２上に存在する場合、点Ａの座標を面番号２を構成する点１、２、７、８からの距離として求める。上述した位相対応表からメッシュデータ８０１の面グループ番号２に対応する新規形状データの面番号は１となるので、新規形状データ８０３における面番号１に対応する点番号１、２、６、８からの距離にメッシュデータ８０２の場合と同じ位置に解析参照点Ａ´８０４を配置する。
【００８４】
図９は、表示装置の表示画面上に表示した操作画面である動作処理モード画面を例示したものである。
【００８５】
この操作画面は、新規形状データに類似メッシュデータの粗密メッシュデータを適用するときのものである。具体的に云えば、操作画面９０１において、動作処理モードとして、境界条件のデータを含む新規形状データを読み込むためのデータ読込９０２用ボタン、過去の解析メッシュデータを検索するための過去解析メッシュ検索９０３用ボタン、解析結果・粗密／規則メッシュデータを比較するための解析結果・粗密／規則メッシュ比較９０４用ボタン、粗密／規則メッシュデータを適用するための粗密／規則メッシュ適用９０５用ボタン、解析参照点を検索して適用するための解析参照点適用９０６用ボタン、メッシュデータを生成するためのメッシュ生成９０７用ボタン、生成したメッシュデータを保存するためのデータ保存用ボタンから構成されるものが表示される。図９では、データ読込９０２用ボタンを押下操作したとき、新規形状データ９０９が読み込まれて表示画面上に表示された様子を示している。
【００８６】
図１０は、動作処理モード画面上で過去解析メッシュ検索９０２（図１０中では参照符号を１００１としている）を指定した場合の推移操作画面を例示したものである。
【００８７】
この操作画面は、新規形状データに対して類似する解析メッシュデータを検索するときのものである。新規形状データ９０９を読み込んだ後、過去解析メッシュ検索１００１用ボタンを押下操作すると、類似検索画面１００２が表示され、更に、類似する形状検索１００３用ボタン、境界条件検索１００４用ボタンを押下操作すると、新規形状と近い形状、又は拘束条件１００７、荷重条件１００６が近い過去解析結果データ１００５を表示画面上に表示する。
【００８８】
図１１は、解析結果・粗密／規則メッシュデータ比較９０４（図１１中では参照符号を１１０１としている）を指定した場合の推移操作画面を例示したものである。
【００８９】
この操作画面は、解析結果と粗密／規則メッシュデータとの対応付けを行うときのものである。解析結果・粗密／規則メッシュ比較１１０１用ボタンを押下操作すると、類似する過去メッシュデータの解析結果データ１１０２及びメッシュデータ１１０３が表示画面上に表示され、これらを比較して解析結果データ１１０２の応力集中部１１０４における粗密メッシュデータをチェックする。応力集中部１１０４でのメッシュデータ１１０３における粗密メッシュ１１０５をチェックし、メッシュが細かい場合には、その情報を新規形状データ９０９へ適用する。
【００９０】
図１２は、粗密／規則メッシュ適用９０５（図１２中では参照符号を１２０１としている）を指定した場合の推移操作画面を例示したものである。
【００９１】
この操作画面は、新規形状データに粗密／規則メッシュデータを適用するときのものである。表示画面上に表示された新規形状データ１２０２に対して粗密／規則メッシュ適用１２０１用ボタンを押下操作すると、類似するメッシュデータ１２０３との形状比較を行い、メッシュデータ１２０３に含まれる粗密メッシュデータを新規形状データ１２０２のどこへ適用すれば良いかを計算する。
【００９２】
図１３は、解析参照点適用９０６（図１３中では参照符号を１３０１としている）を指定した場合の推移操作画面を例示したものである。
【００９３】
この操作画面は、解析参照点を適用したときのものである。解析参照点適用１３０１用ボタンを押下操作すると、表示画面上に表示された新規形状データ１３０２に対して、メッシュデータ１３０３の粗密メッシュデータに含まれる解析参照点１３０４を検索する。解析参照点１３０４が含まれる場合には、新規形状データ１３０２にも解析参照点を配置するように配置位置を計算する。
【００９４】
図１４は、メッシュ生成１４０１（図１４中では参照符号を１４０１としている）を指定した場合の推移操作画面を例示したものである。
【００９５】
この操作画面は、新規形状データ１４０２に粗密メッシュデータ１４０３を適用したときのものである。メッシュ生成１４０１用ボタンを押下操作すると、新規形状データ１４０２に粗密メッシュデータと解析参照点とを配置した後、メッシュ生成する。粗密メッシュデータは、新規形状データ１４０２と過去解析メッシュデータとの形状が異なっていても、位相対応表より形状比較を行い、応力集中部に粗密メッシュデータ１４０３を適用する。適用した粗密メッシュデータ１４０３をハイライト表示することにより、適用したことが明確に判るようにする。
【００９６】
図１５は、データ保存９０８（図１５中では参照符号を１５０１としている）を指定した場合の推移操作画面を例示したものである。
【００９７】
この操作画面は、新規形状データに粗密メッシュデータ、解析参照点を含めたメッシュデータを保存するときのものである。データ保存１５０１用ボタンを押下操作すると、新規形状データとして生成したメッシュデータ１５０２の画面表示されたものを保存する様子を示している。
【００９８】
以上に説明した解析データ作成装置の技術的概要は、以下のように簡略して説明することができる。即ち、実施例１に係る解析データ作成装置では、新たに解析する新規形状データに対して、新規データ用ＤＢ１０１に入っている形状と境界条件のデータとを読込み、類似する過去の解析メッシュデータを過去メッシュデータ用ＤＢ１０６から検索する。形状の類似検索については、新規形状データの特徴量を算出して、特徴量が近い過去の解析メッシュデータを過去解析結果データ用ＤＢ１０４から検索する。新規形状の特徴量算出については、新規形状データに三角形メッシュを作成して、任意の三角形メッシュペアについて、法線ベクトルの成す角度と重心からの距離とを全ての三角形メッシュに対して求め、ヒストグラムを作成して数値化する。ヒストグラムの比較から、類似する解析データのうちの近い形状のデータを過去メッシュデータ用ＤＢ１０６から検索する。
【００９９】
境界条件の類似検索処理については、新規データ用ＤＢ１０１から読み込んだ新規形状データの拘束条件や荷重条件の設定箇所、拘束方向、荷重方向、荷重値をパラメータ化して、過去の解析メッシュデータに設定されている拘束条件、荷重条件との差を求め、類似する解析メッシュデータを過去解析結果データ用ＤＢ１０４から検索する。検索結果から、解析メッシュデータの粗密メッシュデータや規則メッシュデータを抽出し、新規形状データと対応する場所に粗密／規則メッシュデータ（粗密メッシュデータ）を適用してメッシュデータを作成する。作成したメッシュデータを新規メッシュデータとして新規メッシュデータ用ＤＢ１１４に格納する。
【０１００】
粗密メッシュデータの適用において、新規形状データと過去解析結果データとの形状が同じであれば、粗密／規則メッシュデータを過去解析結果データの位置からそのまま新規形状データへ配置すれば良いが、形状の位相は同じでも寸法が異なる場合や、板材や穴が含まれている場合が考えられる。
【０１０１】
新規形状データと過去解析結果データとの形状が異なっている場合は、板材と母材との境界線（ループ）や穴ループに基づいて形状の分割、追加を行って新規形状データと過去解析結果データとの形状を合わせた後、過去解析結果データの粗密／規則メッシュデータを適用する。形状の位相が同じで寸法が異なる場合には、形状を構成する点、線、面の接続情報を用いて、新規形状データと過去解析結果データとがそれぞれ対応する点、線、面の関係から過去解析結果データにある粗密／規則メッシュデータを新規形状データに配置する。配置する際には、線の長さや面積に応じて、粗密／規則メッシュデータを変更して配置する。
【０１０２】
また、過去解析結果データを参照して、応力が高くなると思われる箇所（応力集中部）に粗密メッシュデータを追加、又は応力が低くて解析への影響が小さい箇所で細かいメッシュが存在する場合にはメッシュを粗くして修正を行った上で新規形状データへ適用する。適用した粗密メッシュデータを表示装置の表示画面上にハイライト表示する。新規形状データへ粗密メッシュデータを適用して新規の解析メッシュデータを作成し、作成した新規の解析メッシュデータを保存する。
【符号の説明】
【０１０３】
１０１  新規データ用ＤＢ（データベース）
１０３  データ読込部
１０４  過去解析結果データ用ＤＢ（データベース）
１０５  過去解析メッシュデータ類似形状検索・表示部
１０６  過去メッシュデータ用ＤＢ（データベース）
１０７  過去解析メッシュデータ類似境界条件検索・表示部
１０８  解析結果・粗密／規則メッシュデータ比較部
１０９  粗密／規則メッシュデータ抽出部
１１０  粗密／規則メッシュデータ適用部
１１１  メッシュ生成部
１１２  データ表示部
１１３  データ保存部
１１４  新規メッシュデータ用ＤＢ（データベース）
１１５  解析参照点適用部
【図１】
2011100335.tif 000010
【図２】
2011100335.tif 000011
【図３】
2011100335.tif 000012
【図５】
2011100335.tif 000013
【図６】
2011100335.tif 000014
【図７】
2011100335.tif 000015
【図８】
2011100335.tif 000016
【図４】
2011100335.tif 000017
【図９】
2011100335.tif 000018
【図１０】
2011100335.tif 000019
【図１１】
2011100335.tif 000020
【図１２】
2011100335.tif 000021
【図１３】
2011100335.tif 000022
【図１４】
2011100335.tif 000023
【図１５】
2011100335.tif 000024